(57)【特許請求の範囲】
【請求項１】
底壁部の外周に周壁部を設けた刃物収容部と、この刃物収容部の底壁部に載置した刃物の刃体をこの底壁部との間で挟んで刃体の動きを規制し得る刃体規制面を有する刃体移動規制体と、この刃物収容部及び刃体移動規制体に被せる外蓋体とを備えた刃物包装ケースにおいて、
前記刃体移動規制体は、刃物収容部に対し一体的に設けられ、刃体に接近して刃体の動きを規制し得る規制位置と、刃体から離間して刃体に対する規制を解除する非規制位置との間で移動操作可能であり、
前記刃物は刃体に連結した柄を有し、この柄は、刃体を前記刃物収容部の底壁部に載置した状態で、この刃物収容部の周壁部から外側へ露出し、
前記刃体移動規制体は、前記刃物収容部にあって刃物の柄が外側へ露出する周壁部で柄に隣接し、その周壁部から接続部を介して延設され、この接続部の動きにより、刃物にあって刃体と柄とが延びる長さ方向に沿って移動操作される
ことを特徴とする刃物包装ケース。
【請求項２】
前記刃体移動規制体は、前記非規制位置で柄の動きを規制し得る柄移動規制面も有していることを特徴とする請求項１に記載の刃物包装ケース。
【請求項３】
前記刃物の柄は、刃体の刃先に隣接する側の腹部と、刃体にあって刃先に対し反対側になる背部に隣接する側の背部と、この腹部と背部との間の両側部とを有し、
前記刃体移動規制体の柄移動規制面は、前記柄の両側部のうち前記刃物収容部の底壁部に隣接する側の一側部に対し反対側になる他側部に面する第一柄移動規制面と、前記柄の腹部と背部とのうち一方に面する第二柄移動規制面と、前記柄の腹部と背部とのうち他方に面する開放部とを有している
ことを特徴とする請求項２に記載の刃物包装ケース。
【請求項４】
前記刃体移動規制体は、前記規制位置で、前記刃物収容部の周壁部に載せられてこの周壁部と前記外蓋体との間で挟持される鍔部と、前記刃物収容部の周壁部の内側に面する外周規制面とのうち、少なくとも一方のものを有していることを特徴とする請求項１または請求項２または請求項３に記載の刃物包装ケース。
【請求項５】
底壁部の外周に周壁部を設けた刃物収容部と、この刃物収容部の底壁部に載置した刃物の刃体をこの底壁部との間で挟んで刃体の動きを規制し得る刃体規制面を有する刃体移動規制体と、この刃物収容部及び刃体移動規制体に被せる外蓋体とを備えた刃物包装ケースにおいて、
前記刃体移動規制体は、刃物収容部に対し一体的に設けられ、刃体に接近して刃体の動きを規制し得る規制位置と、刃体から離間して刃体に対する規制を解除する非規制位置との間で移動操作可能であり、
前記刃物は刃体に連結した柄を有し、この柄は、刃体を前記刃物収容部の底壁部に載置した状態で、この刃物収容部の周壁部から外側へ露出し、
前記刃体移動規制体は、前記非規制位置で柄の動きを規制し得る柄移動規制面も有し、
前記刃物の柄は、刃体の刃先に隣接する側の腹部と、刃体にあって刃先に対し反対側になる背部に隣接する側の背部と、この腹部と背部との間の両側部とを有し、
前記刃体移動規制体の柄移動規制面は、前記柄の両側部のうち前記刃物収容部の底壁部に隣接する側の一側部に対し反対側になる他側部に面する第一柄移動規制面と、前記柄の腹部と背部とのうち一方に面する第二柄移動規制面と、前記柄の腹部と背部とのうち他方に面する開放部とを有している
ことを特徴とする刃物包装ケース。
【請求項６】
前記刃物にあって刃体と柄との連結部である口部は、刃体の刃先に隣接する側の腹部と、刃体にあって刃先に対し反対側になる背部に隣接する側の背部と、この腹部と背部との間の両側部と、刃体が突出する口端部とを有し、
前記刃体は、その刃先と前記口部の腹部との間で段差状をなす顎部を有し、
前記刃物収容部にあって刃物の柄が外側へ露出する周壁部で前記口部が通る溝部を設け、この溝部においては、口部の腹部が面する腹側規制面と口部の背部が面する背側規制面とを相対向して設けるとともに、口部の両側部のうち前記刃物収容部の底壁部に隣接する側の一側部がこの腹側規制面と背側規制面との間で面する底側規制面を設け、
前記溝部の底側規制面と前記底壁部との間には、前記口部の口端部が面する口端規制面を設け、
前記溝部を有する周壁部の内側には、前記刃体の顎部が面する顎規制面を有している
ことを特徴とする請求項１から請求項５のうちいずれかの請求項に記載の刃物包装ケース。
【請求項７】
底壁部の外周に周壁部を設けた刃物収容部と、この刃物収容部の底壁部に載置した刃物の刃体をこの底壁部との間で挟んで刃体の動きを規制し得る刃体規制面を有する刃体移動規制体と、この刃物収容部及び刃体移動規制体に被せる外蓋体とを備えた刃物包装ケースにおいて、
前記刃体移動規制体は、刃物収容部に対し一体的に設けられ、刃体に接近して刃体の動きを規制し得る規制位置と、刃体から離間して刃体に対する規制を解除する非規制位置との間で移動操作可能であり、
前記刃物は刃体に連結した柄を有し、この柄は、刃体を前記刃物収容部の底壁部に載置した状態で、この刃物収容部の周壁部から外側へ露出し、
前記刃物にあって刃体と柄との連結部である口部は、刃体の刃先に隣接する側の腹部と、刃体にあって刃先に対し反対側になる背部に隣接する側の背部と、この腹部と背部との間の両側部と、刃体が突出する口端部とを有し、
前記刃体は、その刃先と前記口部の腹部との間で段差状をなす顎部を有し、
前記刃物収容部にあって刃物の柄が外側へ露出する周壁部で前記口部が通る溝部を設け、この溝部においては、口部の腹部が面する腹側規制面と口部の背部が面する背側規制面とを相対向して設けるとともに、口部の両側部のうち前記刃物収容部の底壁部に隣接する側の一側部がこの腹側規制面と背側規制面との間で面する底側規制面を設け、
前記溝部の底側規制面と前記底壁部との間には、前記口部の口端部が面する口端規制面を設け、
前記溝部を有する周壁部の内側には、前記刃体の顎部が面する顎規制面を有している
ことを特徴とする刃物包装ケース。
【請求項８】
前記刃体移動規制体は、前記非規制位置で柄の動きを規制し得る柄移動規制面も有していることを特徴とする請求項７に記載の刃物包装ケース。
【発明の詳細な説明】
【０００１】
【発明の属する技術分野】
本発明は、包丁等の刃物を包装して販売するための刃物包装ケースに関するものである。
【０００２】
【従来の技術】
従来の刃物包装ケースとしては、例えば、実開昭５６−１４１１３１号公報（特に同公報図面の保持体１０を参照）や実開昭６３−９９８７３号公報（特に同公報図面の刀身保持体１４を参照）や実開平６−４２６４６号公報（特に同公報図面の支持体６を参照）に開示されたものが知られている。
【０００３】
【発明が解決しようとする課題】
前記保持体１０や刀身保持体１４や支持体６に該当する刃体移動規制体は、いずれも、刃物収容部に対し分離されて設けられ、刃物収容部に対し着脱可能に取り付けられている。そのため、実開昭５６−１４１１３１号公報に記載のものでは、刃物を刃物収容部から取り出したり刃物収容部に収容したりする場合、保持体１０を刃物収容部から離して保管すると、保持体１０を紛失するおそれがある。また、実開昭６３−９９８７３号公報や実開平６−４２６４６号公報に記載のものでは、前記刀身保持体１４や支持体６を移動操作させる必要があるため、この刀身保持体１４や支持体６を刃物収容部に対し移動可能に支持する場合、面倒な取付構造になっていた。
【０００４】
この発明は、刃体移動規制体を改良して、刃体移動規制体の紛失を防止するとともに、刃物収容部に対する刃体移動規制体の取付構造を簡単にすることを目的としている。
【０００５】
【課題を解決するための手段及び発明の効果】
後記実施形態の図面（図１〜５）の符号を援用して本発明を説明する。
＊  請求項１の発明
請求項１の発明にかかる刃物包装ケースは、下記のように構成されている。
【０００６】
この刃物包装ケースは、底壁部（４）の外周に周壁部（５）を設けた刃物収容部（１）と、この刃物収容部（１）の底壁部（４）に載置した刃物（１７）の刃体（１８）をこの底壁部（４）との間で挟んで刃体（１８）の動き（刃体１８の厚み方向の動き）を規制し得る刃体規制面（１１ａ）を有する刃体移動規制体（２）と、この刃物収容部（１）及び刃体移動規制体（２）に被せる外蓋体（３）とを備えている。前記刃体移動規制体（２）は、刃物収容部（１）に対し一体的に設けられ、刃体（１８）に接近して刃体（１８）の動きを規制し得る規制位置（Ｑ）を取る。ここに、「一体的」とは、合成樹脂等により刃物収容部（１）と一体成形する場合と、刃物収容部（１）に対し分離して成形した刃体移動規制体（２）を成形後に刃物収容部（１）に対し取着する場合とを含む。なお、前記規制位置（Ｑ）で刃体移動規制体（２）の刃体規制面（１１ａ）を刃体（１８）に対し接触させても若干離してもよい。
【０００７】
従って、請求項１の発明では、刃物収容部（１）と一体的に設けた刃体移動規制体（２）が刃物収容部（１）から不用意に分離しない。そのため、刃物収容部（１）及び刃体移動規制体（２）を外蓋体（３）から外側へ取り出した状態で、刃物（１７）を刃物収容部（１）から取り出したり刃物収容部（１）に収容したりする場合、刃体移動規制体（２）の紛失を防止することができる。また、刃物収容部（１）に対する刃体移動規制体（２）の取付構造を簡単にすることができる。
【０００８】
さらに、請求項１の発明では、刃体移動規制体（２）が、前記規制位置（Ｑ）と、刃体（１８）から離間して刃体（１８）に対する規制を解除する非規制位置（Ｐ）との間で移動操作し得るので、刃物収容部（１）及び刃体移動規制体（２）を外蓋体（３）から外側へ取り出した状態で、刃物収容部（１）に対する刃物（１７）の取出しや収容を容易に行うことができる。
【００１０】
さらに、請求項１の発明において、前記刃物（１７）は刃体（１８）に連結した柄（１９）を有し、この柄（１９）は、刃体（１８）を前記刃物収容部（１）の底壁部（４）に載置した状態で、この刃物収容部（１）の周壁部（尻壁部５ｄ）から外側へ露出するので、刃物収容部（１）を小型化することができる。
さらに、請求項１の発明において、前記刃体移動規制体（２）は、前記刃物収容部（１）にあって刃物（１７）の柄（１９）が外側へ露出する周壁部（尻壁部５ｄ）で柄（１９）に隣接し、その周壁部（尻壁部５ｄ）から接続部（９）を介して延設され、この接続部（９）の動きにより、刃物（１７）にあって刃体（１８）と柄（１９）とが延びる長さ方向（上下方向Ｚ）に沿って移動操作される。従って、刃物（１７）の刃体（１８）のうち柄（１９）との連結部である口部（２０）の付近を刃体移動規制体（２）の柄移動規制面（１２ａ，１２ｂ）により支えることができ、刃物収容部（１）及び刃体移動規制体（２）を外蓋体（３）から外側へ取り出した状態で、刃物（１７）の安定性をより一層良くすることができる。
【００１１】
例えば、前記外蓋体（３）は筒壁部（１３）と両端壁部（１４，１５）とを有している。この筒壁部（１３）の両端壁部（１４，１５）のうち、少なくとも一方の端壁部（１５）は開閉可能な蓋壁部になっている。この蓋壁部（１５）の開閉により、前記刃物収容部（１）及び刃体移動規制体（２）を外蓋体（３）から外側へ取り出したり外蓋体（３）内に収納したりすることができる。前記柄（１９）は、刃物収容部（１）及び刃体移動規制体（２）を外蓋体（３）内に収納した状態で、外蓋体（３）の蓋壁部（尻端壁部１５）から外側へ露出する。この外蓋体（３）によれば、刃物包装ケースを小型化することができる。
【００１２】
＊  請求項２の発明
この発明において、請求項１の発明にかかる刃体移動規制体（２）は、前記非規制位置（Ｐ）で柄（１９）の動きを規制し得る柄移動規制面（１２ａ，１２ｂ）も有している。請求項２の発明では、刃体（１８）が収容された刃物収容部（１）の周壁部（尻壁部５ｄ）から外側へ露出した柄（１９）をこの柄移動規制面（１２ａ，１２ｂ）と周壁部（尻壁部５ｄ）とにより支えるので、柄（１９）が刃物収容部（１）から露出しているにもかかわらず、刃物（１７）の安定性を良くすることができる。従って、刃物収容部（１）及び刃体移動規制体（２）を外蓋体（３）から外側へ取り出した状態において、刃体移動規制体（２）の非規制位置（Ｐ）で、刃物（１７）を刃物収容部（１）から取り出したり刃物収容部（１）に収容したりする場合、刃物収容部（１）から刃物（１７）が不用意に落下することを防止することができる。
【００１３】
＊  請求項３の発明
この発明は、請求項２の発明を前提として下記のように構成されている。
前記刃物（１７）の柄（１９）は、刃体（１８）の刃先（１８ａ）に隣接する側の腹部（１９ａ）と、刃体（１８）にあって刃先（１８ａ）に対し反対側になる背部（１８ｂ）に隣接する側の背部（１９ｂ）と、この腹部（１９ａ）と背部（１９ｂ）との間の両側部（１９ｃ）とを有している。前記刃体移動規制体（２）の柄移動規制面は、前記柄（１９）の両側部（１９ｃ）のうち前記刃物収容部（１）の底壁部（４）に隣接する側の一側部（１９ｃ）に対し反対側になる他側部（１９ｃ）に面する第一柄移動規制面（１２ａ）と、前記柄（１９）の腹部（１９ａ）と背部（１９ｂ）とのうち一方に面する第二柄移動規制面（１２ｂ）と、前記柄（１９）の腹部（１９ａ）と背部（１９ｂ）とのうち他方に面する開放部（１２ｃ）とを有している。
【００１４】
請求項３の発明では、第一柄移動規制面（１２ａ）と第二柄移動規制面（１２ｂ）とにより刃物（１７）の柄（１９）をより一層安定性良く支えることができるとともに、開放部（１２ｃ）により刃物収容部（１）に対する刃物（１７）の取出しや収容を容易に行うことができる。
【００１７】
＊  請求項４の発明
この発明は、請求項１または請求項２または請求項３の発明を前提として下記のように構成されている。
前記刃体移動規制体（２）は、前記規制位置（Ｑ）で、前記刃物収容部（１）の周壁部（５）に載せられてこの周壁部（５）と前記外蓋体（３）との間で挟持される鍔部（１０）と、前記刃物収容部（１）の周壁部（５）の内側に面する外周規制面（２２）とのうち、少なくとも一方のものを有している。例えば、刃物収容部（１）の周壁部（５）の内側と刃体移動規制体（２）の外周規制面（２２）とのうち、一方に係合凹部（２３）を設けるとともに、他方にはこの係合凹部（２３）に係合される係合凸部（２２ａ）を設ける。請求項４の発明では、刃体移動規制体（２）を規制位置（Ｑ）で確実に位置決めすることができる。
＊  請求項５の発明
請求項５の発明にかかる刃物包装ケースは、下記のように構成されている。
この刃物包装ケースは、底壁部（４）の外周に周壁部（５）を設けた刃物収容部（１）と、この刃物収容部（１）の底壁部（４）に載置した刃物（１７）の刃体（１８）をこの底壁部（４）との間で挟んで刃体（１８）の動き（刃体１８の厚み方向の動き）を規制し得る刃体規制面（１１ａ）を有する刃体移動規制体（２）と、この刃物収容部（１）及び刃体移動規制体（２）に被せる外蓋体（３）とを備えている。前記刃体移動規制体（２）は、刃物収容部（１）に対し一体的に設けられ、刃体（１８）に接近して刃体（１８）の動きを規制し得る規制位置（Ｑ）を取る。ここに、「一体的」とは、合成樹脂等により刃物収容部（１）と一体成形する場合と、刃物収容部（１）に対し分離して成形した刃体移動規制体（２）を成形後に刃物収容部（１）に対し取着する場合とを含む。なお、前記規制位置（Ｑ）で刃体移動規制体（２）の刃体規制面（１１ａ）を刃体（１８）に対し接触させても若干離してもよい。
従って、請求項５の発明では、刃物収容部（１）と一体的に設けた刃体移動規制体（２）が刃物収容部（１）から不用意に分離しない。そのため、刃物収容部（１）及び刃体移動規制体（２）を外蓋体（３）から外側へ取り出した状態で、刃物（１７）を刃物収容部（１）から取り出したり刃物収容部（１）に収容したりする場合、刃体移動規制体（２）の紛失を防止することができる。また、刃物収容部（１）に対する刃体移動規制体（２）の取付構造を簡単にすることができる。
さらに、請求項５の発明では、刃体移動規制体（２）が、前記規制位置（Ｑ）と、刃体（１８）から離間して刃体（１８）に対する規制を解除する非規制位置（Ｐ）との間で移動操作し得るので、刃物収容部（１）及び刃体移動規制体（２）を外蓋体（３）から外側へ取り出した状態で、刃物収容部（１）に対する刃物（１７）の取出しや収容を容易に行うことができる。
さらに、請求項５の発明において、前記刃物（１７）は刃体（１８）に連結した柄（１９）を有し、この柄（１９）は、刃体（１８）を前記刃物収容部（１）の底壁部（４）に載置した状態で、この刃物収容部（１）の周壁部（尻壁部５ｄ）から外側へ露出するので、刃物収容部（１）を小型化することができる。
さらに、請求項５の発明において、刃体移動規制体（２）は、前記非規制位置（Ｐ）で柄（１９）の動きを規制し得る柄移動規制面（１２ａ，１２ｂ）も有している。そのため、刃体（１８）が収容された刃物収容部（１）の周壁部（尻壁部５ｄ）から外側へ露出した柄（１９）をこの柄移動規制面（１２ａ，１２ｂ）と周壁部（尻壁部５ｄ）とにより支えるので、柄（１９）が刃物収容部（１）から露出しているにもかかわらず、刃物（１７）の安定性を良くすることができる。従って、刃物収容部（１）及び刃体移動規制体（２）を外蓋体（３）から外側へ取り出した状態において、刃体移動規制体（２）の非規制位置（Ｐ）で、刃物（１７）を刃物収容部（１）から取り出したり刃物収容部（１）に収容したりする場合、刃物収容部（１）から刃物（１７）が不用意に落下することを防止することができる。
さらに、請求項５の発明において、前記刃物（１７）の柄（１９）は、刃体（１８）の刃先（１８ａ）に隣接する側の腹部（１９ａ）と、刃体（１８）にあって刃先（１８ａ）に対し反対側になる背部（１８ｂ）に隣接する側の背部（１９ｂ）と、この腹部（１９ａ）と背部（１９ｂ）との間の両側部（１９ｃ）とを有し、前記刃体移動規制体（２）の柄移動規制面は、前記柄（１９）の両側部（１９ｃ）のうち前記刃物収容部（１）の底壁部（４）に隣接する側の一側部（１９ｃ）に対し反対側になる他側部（１９ｃ）に面する第一柄移動規制面（１２ａ）と、前記柄（１９）の腹部（１９ａ）と背部（１９ｂ）とのうち一方に面する第二柄移動規制面（１２ｂ）と、前記柄（１９）の腹部（１９ａ）と背部（１９ｂ）とのうち他方に面する開放部（１２ｃ）とを有している。従って、第一柄移動規制面（１２ａ）と第二柄移動規制面（１２ｂ）とにより刃物（１７）の柄（１９）をより一層安定性良く支えることができるとともに、開放部（１２ｃ）により刃物収容部（１）に対する刃物（１７）の取出しや収容を容易に行うことができる。
【００１８】
＊  請求項６の発明
この発明は、請求項１から請求項５のうちいずれかの請求項の発明を前提として下記のように構成されている。
【００１９】
前記刃物（１７）にあって刃体（１８）と柄（１９）との連結部である口部（２０）は、刃体（１８）の刃先（１８ａ）に隣接する側の腹部（２０ａ）と、刃体（１８）にあって刃先（１８ａ）に対し反対側になる背部（１８ｂ）に隣接する側の背部（２０ｂ）と、この腹部（２０ａ）と背部（２０ｂ）との間の両側部（２０ｃ）と、刃体（１８）が突出する口端部（２０ｄ）とを有している。前記刃体（１８）は、その刃先（１８ａ）と前記口部（２０）の腹部（２０ａ）との間で段差状をなす顎部（１８ｃ）を有している。前記刃物収容部（１）にあって刃物（１７）の柄（１９）が外側へ露出する周壁部（尻壁部５ｄ）で前記口部（２０）が通る溝部（８）を設けている。この溝部（８）においては、口部（２０）の腹部（２０ａ）が面する腹側規制面（８ａ）と口部（２０）の背部（２０ｂ）が面する背側規制面（８ｂ）とを相対向して設けるとともに、口部（２０）の両側部（２０ｃ）のうち前記刃物収容部（１）の底壁部（４）に隣接する側の一側部（２０ｃ）がこの腹側規制面（８ａ）と背側規制面（８ｂ）との間で面する底側規制面（８ｃ）を設けている。前記溝部（８）の底側規制面（８ｃ）と前記底壁部（４）との間には、前記口部（２０）の口端部（２０ｄ）が面する口端規制面（８ｄ）を設けている。前記溝部（８）を有する周壁部（尻壁部５ｄ）の内側には、前記刃体（１８）の顎部（１８ｃ）が面する顎規制面（２１）を有している。
【００２０】
請求項６の発明では、口部（２０）及び刃体（１８）の顎部（１８ｃ）を支えることができる。従って、刃物収容部（１）及び刃体移動規制体（２）を外蓋体（３）から外側へ取り出した状態において、刃物（１７）の安定性をより一層良くすることができる。
＊  請求項７の発明
請求項７の発明にかかる刃物包装ケースは、下記のように構成されている。
この刃物包装ケースは、底壁部（４）の外周に周壁部（５）を設けた刃物収容部（１）と、この刃物収容部（１）の底壁部（４）に載置した刃物（１７）の刃体（１８）をこの底壁部（４）との間で挟んで刃体（１８）の動き（刃体１８の厚み方向の動き）を規制し得る刃体規制面（１１ａ）を有する刃体移動規制体（２）と、この刃物収容部（１）及び刃体移動規制体（２）に被せる外蓋体（３）とを備えている。前記刃体移動規制体（２）は、刃物収容部（１）に対し一体的に設けられ、刃体（１８）に接近して刃体（１８）の動きを規制し得る規制位置（Ｑ）を取る。ここに、「一体的」とは、合成樹脂等により刃物収容部（１）と一体成形する場合と、刃物収容部（１）に対し分離して成形した刃体移動規制体（２）を成形後に刃物収容部（１）に対し取着する場合とを含む。なお、前記規制位置（Ｑ）で刃体移動規制体（２）の刃体規制面（１１ａ）を刃体（１８）に対し接触させても若干離してもよい。
従って、請求項７の発明では、刃物収容部（１）と一体的に設けた刃体移動規制体（２）が刃物収容部（１）から不用意に分離しない。そのため、刃物収容部（１）及び刃体移動規制体（２）を外蓋体（３）から外側へ取り出した状態で、刃物（１７）を刃物収容部（１）から取り出したり刃物収容部（１）に収容したりする場合、刃体移動規制体（２）の紛失を防止することができる。また、刃物収容部（１）に対する刃体移動規制体（２）の取付構造を簡単にすることができる。
さらに、請求項７の発明では、刃体移動規制体（２）が、前記規制位置（Ｑ）と、刃体（１８）から離間して刃体（１８）に対する規制を解除する非規制位置（Ｐ）との間で移動操作し得るので、刃物収容部（１）及び刃体移動規制体（２）を外蓋体（３）から外側へ取り出した状態で、刃物収容部（１）に対する刃物（１７）の取出しや収容を容易に行うことができる。
さらに、請求項７の発明において、前記刃物（１７）は刃体（１８）に連結した柄（１９）を有し、この柄（１９）は、刃体（１８）を前記刃物収容部（１）の底壁部（４）に載置した状態で、この刃物収容部（１）の周壁部（尻壁部５ｄ）から外側へ露出するので、刃物収容部（１）を小型化することができる。
さらに、請求項７の発明は、下記のように構成されている。
前記刃物（１７）にあって刃体（１８）と柄（１９）との連結部である口部（２０）は、刃体（１８）の刃先（１８ａ）に隣接する側の腹部（２０ａ）と、刃体（１８）にあって刃先（１８ａ）に対し反対側になる背部（１８ｂ）に隣接する側の背部（２０ｂ）と、この腹部（２０ａ）と背部（２０ｂ）との間の両側部（２０ｃ）と、刃体（１８）が突出する口端部（２０ｄ）とを有し、前記刃体（１８）は、その刃先（１８ａ）と前記口部（２０）の腹部（２０ａ）との間で段差状をなす顎部（１８ｃ）を有している。前記刃物収容部（１）にあって刃物（１７）の柄（１９）が外側へ露出する周壁部（尻壁部５ｄ）で前記口部（２０）が通る溝部（８）を設けている。この溝部（８）においては、口部（２０）の腹部（２０ａ）が面する腹側規制面（８ａ）と口部（２０）の背部（２０ｂ）が面する背側規制面（８ｂ）とを相対向して設けるとともに、口部（２０）の両側部（２０ｃ）のうち前記刃物収容部（１）の底壁部（４）に隣接する側の一側部（２０ｃ）がこの腹側規制面（８ａ）と背側規制面（８ｂ）との間で面する底側規制面（８ｃ）を設けている。前記溝部（８）の底側規制面（８ｃ）と前記底壁部（４）との間には、前記口部（２０）の口端部（２０ｄ）が面する口端規制面（８ｄ）を設けている。前記溝部（８）を有する周壁部（尻壁部５ｄ）の内側には、前記刃体（１８）の顎部（１８ｃ）が面する顎規制面（２１）を有している。従って、口部（２０）及び刃体（１８）の顎部（１８ｃ）を支えることができ、刃物収容部（１）及び刃体移動規制体（２）を外蓋体（３）から外側へ取り出した状態において、刃物（１７）の安定性をより一層良くすることができる。
＊  請求項８の発明
この発明において、請求項７の発明にかかる刃体移動規制体（２）は、前記非規制位置（Ｐ）で柄（１９）の動きを規制し得る柄移動規制面（１２ａ，１２ｂ）も有している。請求項８の発明では、刃体（１８）が収容された刃物収容部（１）の周壁部（尻壁部５ｄ）から外側へ露出した柄（１９）をこの柄移動規制面（１２ａ，１２ｂ）と周壁部（尻壁部５ｄ）とにより支えるので、柄（１９）が刃物収容部（１）から露出しているにもかかわらず、刃物（１７）の安定性を良くすることができる。従って、刃物収容部（１）及び刃体移動規制体（２）を外蓋体（３）から外側へ取り出した状態において、刃体移動規制体（２）の非規制位置（Ｐ）で、刃物（１７）を刃物収容部（１）から取り出したり刃物収容部（１）に収容したりする場合、刃物収容部（１）から刃物（１７）が不用意に落下することを防止することができる。
【００２１】
【発明の実施の形態】
以下、本発明の一実施形態にかかる刃物包装ケースについて図１〜５を参照して説明する。
【００２２】
この刃物包装ケースは、図１（ａ）に示すように、合成樹脂により成形された刃物収容部１と刃体移動規制体２と外蓋体３とを備えている。
前記刃物収容部１においては、裏側（後側）である底壁部４の外周に周壁部５が設けられ、この底壁部４の内側でこの周壁部５の内側に設けられた凹所６が底壁部４に面する表側（前側）の開放部６ａで開放されている。この周壁部５は、上側の頭壁部５ａと、この頭壁部５ａの左右両側から互いに対向して下方へ延びる左右両壁部５ｂ，５ｃと、この頭壁部５ａに対向してこの左右両壁部５ｂ，５ｃから連続する下側の尻壁部５ｄとを有している。この尻壁部５ｄには左壁部５ｂ寄りで凹所６から連続する溝部８が設けられてこの尻壁部５ｄの外側へ開放されている。この底壁部４にはこの溝部８に隣接して補強凹部４ａが設けられている。
【００２３】
前記刃体移動規制体２は、刃物収容部１に対し一体に成形され、前記尻壁部５ｄの外側で溝部８に隣接した右壁部５ｃ寄りの尻壁部５ｄから接続部９を介して延設されている。この刃体移動規制体２は、この接続部９と、この接続部９から連続する鍔部１０と、この鍔部１０の内側に設けられた膨出部１１と、前記溝部８と鍔部１０との間で接続部９に隣接して設けられた切欠部１２とを有している。この接続部９と尻壁部５ｄとの境界部分と、この接続部９と鍔部１０との境界部分とには、それぞれ、ミシン目を付けた折曲許容部９ａ，９ｂが設けられている。この刃体移動規制体２は、接続部９の両折曲許容部９ａ，９ｂで折り曲げられて、後で詳述するように、図２（ａ）及び図３に示す非規制位置Ｐと、図２（ｂ）及び図４に示す規制位置Ｑとの間で移動操作し得る。
【００２４】
前記外蓋体３は、略直方体形状をなし、一体成形された筒壁部１３と頭端壁部１４と尻端壁部１５とを有しているとともに、それらの内側で収納室１６を有している。この筒壁部１３は表壁部１３ａと裏壁部１３ｂと左壁部１３ｃと右壁部１３ｄとにより筒状をなす。この頭端壁部１４は吊下部１４ａを有している。この尻端壁部１５は蓋壁部として前記収納室１６を開閉し得る。
【００２５】
図２（ａ）に示す刃物１７は、刃体１８と、この刃体１８に対し口部２０で連結された柄１９とを備えている。この柄１９は、刃体１８の刃先１８ａに隣接する側の腹部１９ａと、刃体１８にあって刃先１８ａに対し反対側になる背部１８ｂに隣接する側の背部１９ｂと、この腹部１９ａと背部１９ｂとの間の両側部１９ｃとを有している。この口部２０は、刃体１８の刃先１８ａに隣接する側の腹部２０ａと、刃体１８の背部１８ｂに隣接する側の背部２０ｂと、この腹部２０ａと背部２０ｂとの間の両側部２０ｃと、刃体１８が突出する口端部２０ｄとを有している。この刃体１８は、その刃先１８ａと前記口部２０の腹部２０ａとの間で段差状をなす顎部１８ｃを有している。
【００２６】
前記刃物収容部１及び刃体移動規制体２を外蓋体３から外側へ取り出した状態において、図２（ａ）及び図３に示すように、この刃体移動規制体２を刃物収容部１から起立させて非規制位置Ｐ（起立状態）にする。この刃体移動規制体２の起立状態で、刃物収容部１において、刃物１７の刃体１８を底壁部４に載置して凹所６内に収容するとともに、刃物１７の口部２０を尻壁部５ｄの溝部８に通し、刃物１７の柄１９を刃体移動規制体２の切欠部１２に対し後記開放部１２ｃから挿入してこの尻壁部５ｄから外側へ露出させる。この溝部８（図４，５参照）では、口部２０の腹部２０ａに面する腹側規制面８ａと口部２０の背部２０ｂに面する背側規制面８ｂとが相対向して設けられ、口部２０の両側部２０ｃのうち底壁部４に隣接する側の一側部２０ｃに対し腹側規制面８ａと背側規制面８ｂとの間で面する底側規制面８ｃが設けられている。また、この溝部８においては、底側規制面８ｃと底壁部４との間で口部２０の口端部２０ｄに面する口端規制面８ｄが設けられている。この溝部８を有する尻壁部５ｄの内側には刃体１８の顎部１８ｃに面する顎規制面２１が設けられている。この腹側規制面８ａと背側規制面８ｂとにより、刃物１７における幅方向（底壁部４に載置された刃体１８において刃先１８ａと背部１８ｂとを結ぶ左右方向Ｙ）の動きを規制する。この口端規制面８ｄと顎規制面２１とにより、刃物１７における長さ方向（底壁部４に載置された刃体１８において刃先１８ａ及び背部１８ｂに沿った上下方向Ｚ）の動きを規制する。
【００２７】
前記非規制位置Ｐにおいて、刃体移動規制体２の膨出部１１に設けられた刃体規制面１１ａは、底壁部４に載置された刃体１８から離間して刃体１８に対する規制を解除する。刃体移動規制体２の切欠部１２においては、非規制位置Ｐで、柄１９の両側部１９ｃのうち底壁部４に隣接する側の一側部１９ｃに対し反対側になる他側部１９ｃに面する柄移動規制面１２ａと、柄１９の腹部１９ａに面する柄移動規制面１２ｂと、柄１９の背部１９ｂに面する開放部１２ｃとが設けられている。この柄移動規制面１２ａ，１２ｂにより、前記溝部８の各規制面８ａ，８ｂ，８ｃと相まって、柄１９の動きを規制する。
【００２８】
前記刃体移動規制体２を非規制位置Ｐから刃物収容部１へ上下方向Ｚに沿って倒伏させると、図２（ｂ）及び図４に示すように、この刃体移動規制体２が規制位置Ｑ（倒伏状態）になる。この刃体移動規制体２の倒伏状態では、刃物収容部１において、図５（ａ）（ｂ）（ｃ）に示すように、接続部９が尻壁部５ｄの外側に重ねられるとともに、鍔部１０が尻壁部５ｄ及び左右両壁部５ｂ，５ｃの前側に重ねられ、膨出部１１が凹所６に嵌め込まれる。この膨出部１１の外周に設けられた外周規制面２２は尻壁部５ｄ及び左右両壁部５ｂ，５ｃの内側に重なる。この外周規制面２２には左右両壁部５ｂ，５ｃの内側に設けられた各係合凹部２３に対し係合される各係合凸部２２ａが設けられている。この膨出部１１の刃体規制面１１ａは、刃体１８に接近して底壁部４との間で刃体１８を挟んで、刃物１７における厚み方向（底壁部４に載置された刃体１８において厚み方向である前後方向Ｘ）の動きを規制する。
【００２９】
前記刃物収容部１と規制位置Ｑの刃体移動規制体２とを外蓋体３の収納室１６に対し尻端壁部１５を開いて収納し、その尻端壁部１５を閉めると、図１（ｂ）に示すように、柄１９のみが刃物収容部１の溝部８を通って外蓋体３から外側へ露出する。その収納状態では、図５（ａ）（ｂ）（ｃ）に示すように、刃体移動規制体２の鍔部１０が尻壁部５ｄ及び左右両壁部５ｂ，５ｃの前側と外蓋体３の内側との間で挟持される。
【００３０】
逆に、図１（ｂ）に示す収納状態から、刃物収容部１と規制位置Ｑの刃体移動規制体２とを外蓋体３の外側へ引き出し、図２（ｂ）及び図４に示す前記状態を経て、図２（ａ）及び図３に示すように刃物収容部１に対し刃体移動規制体２を非規制位置Ｐにする。そして、刃物１７の柄１９を刃体移動規制体２の切欠部１２で開放部１２ｃから抜いて刃物１７を取り出す。
【図面の簡単な説明】
【図１】  （ａ）は本実施形態にかかる刃物収容ケースを分解して示す斜視図であり、（ｂ）は上記刃物収容ケースの収納状態を示す斜視図である。
【図２】  （ａ）は上記刃物収容ケースにおいて外蓋体の外側に取り出した刃物収容部と非規制位置の刃体移動規制体とを示す正面図であり、（ｂ）は同じく刃物収容部と規制位置の刃体移動規制体とを示す正面図である。
【図３】  図２（ａ）の底面図である。
【図４】  図２（ｂ）の部分拡大図である。
【図５】  （ａ）は図４のＡ−Ａ線部分拡大断面図であり、（ｂ）は図４のＢ−Ｂ線部分拡大断面図であり、（ｃ）は図４のＣ−Ｃ線部分拡大断面図である。
【符号の説明】
１…刃物収容部、２…刃体移動規制体、３…外蓋体、４…底壁部、５…周壁部、５ｄ…尻壁部、８…溝部、８ａ…腹側規制面、８ｂ…背側規制面、８ｃ…底側規制面、８ｄ…口端規制面、９…接続部、１０…鍔部、１１…膨出部、１１ａ…刃体規制面、１２ａ…第一柄移動規制面、１２ｂ…第二柄移動規制面、１２ｃ…開放部、１７…刃物、１８…刃体、１８ａ…刃先、１８ｂ…背部、１８ｃ…顎部、１９…柄、１９ａ…腹部、１９ｂ…背部、１９ｃ…側部、２０…口部、２０ａ…腹部、２０ｂ…背部、２０ｃ…側部、２０ｄ…口端部、２１…顎規制面、２２…外周規制面、Ｑ…規制位置、Ｐ…非規制位置、Ｚ…上下方向（長さ方向）。
【図１】
0003899285.tif 000002
【図２】
0003899285.tif 000003
【図３】
0003899285.tif 000004
【図４】
0003899285.tif 000005
【図５】
0003899285.tif 000006